(57)【特許請求の範囲】
【請求項１】
パイプ状又は板状の建設足場用の仮設機材を加圧水で洗浄する加圧水噴出ガンにおいて、
支持部に旋回機構を介して支持され、旋回軸芯を中心に所定の旋回角度範囲で旋回自在な装置本体と、
前記装置本体に前記旋回軸芯と平行な複数本の回転軸芯を中心に回転自在に並列支持され、内部に加圧水の流路が形成された複数本の棒状ノズルヘッドと、
前記棒状ノズルヘッドの長手方向に複数個形成され、前記流路に連通する噴出ノズルと、
前記複数本の棒状ノズルヘッドを回転駆動するとともに、前記複数本の棒状ノズルヘッドの流路に前記加圧水を供給する回転・給水機構と、
前記旋回角度範囲内で前記装置本体の旋回を固定する固定手段と、を備え、
前記複数本の棒状ノズルヘッドを一直線状で配列したときの合計長さは前記仮設機材の種類のうち最大幅の仮設機材の幅と同等であることを特徴とする加圧水噴出ガン。
【請求項２】
前記複数本の棒状ノズルヘッドは２本である請求項１に記載の加圧水噴出ガン。
【請求項３】
前記装置本体は前記旋回軸芯を中心に９０度の旋回角度範囲で旋回可能である請求項１又は２に記載の加圧水噴出ガン。
【請求項４】
前記複数本の棒状ノズルヘッドの隣接する回転軸芯同士の距離を当該回転軸芯を中心に回転する２つの棒状ノズルヘッドの合計長さの１／２よりも短くすることで、前記複数本の棒状ノズルヘッドが部分的に重なるように構成し、前記複数本の棒状ノズルヘッドを１つの回転駆動手段で回転位相をずらして回転させることを特徴とする請求項１〜３の何れか１項に記載の加圧水噴出ガン。
【請求項５】
前記噴出ノズルからは１００〜２００ＭＰａの圧力で前記加圧水が噴出する請求項１〜４の何れか１項に記載の加圧水噴出ガン。
【請求項６】
前記棒状ノズルヘッドは５００〜２０００ｒｐｍの回転速度で回転する請求項１〜５の何れか１項に記載の加圧水噴出ガン。
【請求項７】
パイプ状又は板状の建設足場用の仮設機材を加圧水で洗浄する仮設機材洗浄装置において、
前記仮設機材を搬入・搬出する搬入・搬出ステージと前記仮設機材を洗浄する洗浄ステージとの間に一対の搬送ラインが平行に配設され、前記仮設機材を前記搬入・搬出ステージと前記洗浄ステージとの間でシャトル搬送する搬送手段と、
前記一対の搬送ラインにそれぞれ設けられ、前記搬送手段に前記仮設機材を縦向状態で着脱自在に保持する保持治具と、
前記洗浄ステージの前記一対の搬送ラインの両側に対向配置され、前記縦向状態の仮設機材の面に沿って加圧水を前記仮設機材に吹き付けて洗浄する請求項１〜６の何れか１項に記載の加圧水洗浄ガンと、を備えたことを特徴とする仮設機材洗浄装置。
【請求項８】
前記加圧水噴出ガンの装置本体を旋回自在に支持する支持部は、多関節アーム型又は直交座標系型の一対の洗浄用ロボットであることを特徴とする請求項７に記載の仮設機材洗浄装置。
【請求項９】
前記仮設機材が通過する入口を有して前記洗浄ステージを囲む洗浄室と、
前記一対の洗浄用ロボットの前記加圧水噴出ガンから噴出した加圧水で前記洗浄用ロボット同士が相打ち状態になるのを防止する相打ち防止手段と、
前記搬送手段及び前記洗浄用ロボットを少なくとも制御する制御手段と、を備え、
前記制御手段は、前記一対の搬送ラインにそれぞれ設けられた保持治具のうち、一方の保持治具が前記洗浄ステージにあるときには他方の保持治具が前記搬入・搬出ステージにあるように前記搬送手段を制御するとともに、前記洗浄ステージに搬送された仮設機材の表面と裏面とを同時に洗浄するように前記一対の洗浄用ロボットを制御することを特徴とする請求項８に記載の仮設機材洗浄装置。
【発明の詳細な説明】
【技術分野】
【０００１】
本発明は加圧水噴出ガン及びそれを用いた仮設機材洗浄装置に係り、特に加圧水噴出ガンから噴出させた加圧水を仮設機材に吹き付けることにより、仮設機材に付着している付着物を洗浄除去する仮設機材洗浄装置に関する。
【背景技術】
【０００２】
建設物を建設する際には、パイプ製の建枠、板状の足場板、パイプ製の筋交等の建設足場用の仮設機材を用いて足場を建設物の高さに応じて組み立てる。足場を構成するこれらの仮設機材には、コンクリート打設時のコンクリート、外壁塗装時の塗料等の付着物が付着する。したがって、工事完了後に足場を解体した後、次回の工事に備えて付着物を取り除く洗浄作業を行う必要がある。
【０００３】
洗浄作業としては、ワイヤの回転ブラシ、ショットブラスト等で付着物を掻き落とす方法と、加圧水噴出ガンから噴出させた加圧水を仮設機材に吹き付けて付着物を洗浄する方法とがあるが、ワイヤブラシ方式は騒音や粉塵等の問題がある。
【０００４】
このため、近年、仮設機材洗浄装置には加圧水噴出ガンが採用されており、加圧水噴出ガンとしては、例えば特許文献１や特許文献２の構造の加圧水噴出ガンがある。
【０００５】
特許文献１には、加圧水が送り込まれる回転軸の下端に回転軸と直交するように円盤状の回転ノズルヘッドの中心部を取り付け、加圧水が回転ノズルヘッドの中心部から回転ノズルヘッド内に放射状に形成された流路を通り、回転ノズルヘッドの外周側下面に形成された複数の噴出ノズルから噴出される構造の加圧水噴出ガンが開示されている。
【０００６】
また、特許文献２には、加圧水が送り込まれる回転軸の下端に４本の給水管を放射状に取り付けた回転ノズルヘッドを設け、それぞれの給水管の先端部に噴出ノズルを形成した構造の加圧水噴出ガンが開示されている。
【０００７】
しかしながら、これら従来の加圧水噴出ガンは、円盤状のノズルヘッドの外周側や４本の給水管の先端に噴出ノズルを配置しているため回転するノズルヘッドが大型化するという問題がある。さらに従来の加圧水噴出ガンは、加圧水噴射の反力に耐えられるようノズルヘッドに高剛性を確保する必要があり、加圧水噴出ガンが高重量となるとともに、機械加工部品が多くコスト高になるという問題があった。
【先行技術文献】
【特許文献】
【０００８】
【特許文献１】特開平０９−４２２８号公報
【特許文献２】特開平１０−１４０８２９号公報
【発明の概要】
【発明が解決しようとする課題】
【０００９】
そこで、本出願人は、従来の加圧水噴出ガンの問題点を解決するため、従来とは構造の異なる加圧水噴出ガンを提案している（特願２０１４−１１４５２４）。
【００１０】
この加圧水噴出ガンは、加圧水を送り込む中空回転軸の下端に、中空回転軸と直交するように、仮設機材の幅寸法と同等な１本の長尺な棒状ノズルヘッドの中心部を取り付け、加圧水が棒状ノズルヘッドの中心部から棒状ノズルヘッド内に形成された流路を通り、棒状ノズルヘッドの長手方向下面に形成された複数の噴出ノズルから噴出する。
【００１１】
出願人が提案した加圧水噴出ガンによれば、従来の円盤状の回転ノズルヘッドの外周側に複数の噴出ノズルを配置した構造や、４本の放射状の給水管からなる回転ノズルヘッドの先端に噴出ノズルを配置した構造に比べて、ノズルヘッドを小型軽量化できる。さらには、棒状ノズルヘッドの長手方向に複数の噴出ノズルを形成し、棒状ノズルヘッドを回転させることによって、それぞれの噴出ノズルから噴出される洗浄軌跡同士が重なって密状態になる。これにより、仮設機材に噴出する加圧水の噴出面積密度を高密度化することができるので、洗浄能力を向上できる。
【００１２】
しかしながら、回転する棒状ノズルヘッドから加圧水を噴出させて仮設機材（例えば布板）を洗浄すると、布板の幅方向中央部と幅方向両端部との洗浄力にバラツキが見られた。即ち、布板の幅方向両端部の方が幅方向中央部に比べて洗浄力が低いという更なる改良点が見つかった。
【００１３】
本発明はこのような事情に鑑みてなされたもので、回転するノズルヘッドを小型軽量化でき且つ高剛性を確保する必要がないので、低コスト化が可能であるとともに、仮設機材の洗浄部分における洗浄のバラツキを小さくできる加圧水噴出ガン及びそれを用いた仮設機材洗浄装置を提供することを目的とする。
【課題を解決するための手段】
【００１４】
前記目的を達成するために、本発明に係る加圧水噴出ガンは、パイプ状又は板状の建設足場用の仮設機材を加圧水で洗浄する加圧水噴出ガンにおいて、支持部に旋回機構を介して支持され、旋回軸芯を中心に所定の旋回角度範囲で旋回自在な装置本体と、前記装置本体に前記旋回軸芯と平行な複数本の回転軸芯を中心に回転自在に並列支持され、内部に加圧水の流路が形成された複数本の棒状ノズルヘッドと、前記棒状ノズルヘッドの長手方向に複数個形成され、前記流路に連通する噴出ノズルと、前記複数本の棒状ノズルヘッドを回転駆動するとともに、前記複数本の棒状ノズルヘッドの流路に前記加圧水を供給する回転・給水機構と、前記旋回角度範囲内で前記装置本体の旋回を固定する固定手段と、を備え、前記複数本の棒状ノズルヘッドを直線的に配列したときの合計長さは前記仮設機材の種類のうち最大幅の仮設機材の幅と同等であることを特徴とする。
【００１５】
本発明者は、回転する棒状ノズルヘッドから加圧水を噴出させて洗浄したときに、仮設機材（例えば布板）の幅方向中央部と幅方向両端部との洗浄力にバラツキが見られる原因を鋭意検討した。
【００１６】
その結果、棒状ノズルヘッドの両端部近くの噴出ノズルの回転周速が中央部近くの噴出ノズルの回転周速よりも顕著に速くなることが洗浄力のバラツキの原因であることをつきとめた。
【００１７】
本発明の加圧水噴出ガンによれば、装置本体に１本の長尺な棒状ノズルヘッドを設けて回転するのではなく、装置本体に並列配置されて回転する複数本の棒状ノズルヘッドを設け、複数本の棒状ノズルヘッドを直線的に配列したときの合計長さが仮設機材の種類のうち最大幅の仮設機材の幅と同等であるように構成した。
【００１８】
このように、複数本の棒状ノズルヘッドを設けることにより、棒状ノズルヘッドの回転中心近くの噴出ノズルと両端部近くの噴出ノズルとの回転周速差が、１本の長尺な棒状ノズルヘッドの回転周速差に比べて小さくなるので、洗浄力のバラツキを小さくできる。
【００１９】
さらに、本発明の加圧水噴出ガンによれば、装置本体を支持部に旋回軸芯を中心に所定の旋回角度範囲で旋回自在に支持させるとともに、旋回角度範囲内で装置本体の旋回を固定する固定手段を設けるようにした。
【００２０】
これにより、最大幅の仮設機材よりも幅の狭い仮設機材を洗浄する場合には、装置本体を旋回させて複数本の棒状ノズルヘッドの配列を仮設機材の幅方向に対して傾斜させることができる。したがって、幅の狭い仮設機材に対しても複数本の棒状ノズルヘッドが仮設機材からはみ出すことがないので、加圧水を無駄なく洗浄に利用することができる。
【００２１】
本発明の加圧水噴出ガンは、複数本の棒状ノズルヘッドが２本であることが好ましい。
【００２２】
仮設機材の例えば布板は、幅が２４０ｍｍ，５００ｍｍのものが一般的であり、特殊な仮設機材（例えば布板）でも７００ｍｍが最大幅である。したがって、棒状ノズルヘッドを２本設ければ、洗浄のバラツキを小さくする効果を十分に発揮でき、且つ２本の棒状ノズルヘッドであれば、１本の棒状ノズルヘッドに比べて製作コストのアップもそれほど大きくならない。
【００２３】
本発明の加圧水噴出ガンは、装置本体は旋回軸芯を中心に９０度の旋回角度範囲で旋回可能であることが好ましい。
【００２４】
装置本体を９０度の旋回角度にすれば、仮設機材の幅方向に対して直交するように複数本の棒状ノズルヘッドを並列配置でき、最大幅の仮設機材から最小幅の仮設機材まで対応できる。
【００２５】
本発明の加圧水噴出ガンは、複数本の棒状ノズルヘッドの隣接する回転軸芯同士の距離を当該回転軸芯を中心に回転する２つの棒状ノズルヘッドの合計長さの１／２よりも短くすることで、前記複数本の棒状ノズルヘッドが部分的に重なるように構成し、前記複数本の棒状ノズルヘッドを１つの回転駆動手段で回転位相をずらして回転させることが好ましい。
【００２６】
これにより、隣接する棒状ノズルヘッド同士の回転が衝突しないように複数本の棒状ノズルヘッドを部分的に重ねることができるので、洗浄力のバラツキを一層低減できる。即ち、棒状ノズルヘッドの重なり部分では、一方の棒状ノズルヘッドの端部側の噴出ノズル（回転周速大きい）と、他方の棒状ノズルヘッドの中央部側の噴出ノズル（回転周速小さい）とが回転周速差を相殺しながら洗浄するので、洗浄力のバラツキを一層小さくできる。
【００２７】
本発明の加圧水噴出ガンは、噴出ノズルからは１００〜２００ＭＰａの圧力で加圧水が噴出することが好ましい。仮設機材の洗浄には、１００〜２００ＭＰａの圧力で加圧水が効果的だからである。
【００２８】
本発明の加圧水噴出ガンは、棒状ノズルヘッドは５００〜２０００ｒｐｍの回転速度で回転することが好ましい。棒状ノズルヘッドは５００〜２０００ｒｐｍの回転速度で高速回転するがゆえに、棒状ノズルヘッドが長いと中央部近傍の噴出ノズルと両端部近傍の噴出ノズルとの回転周速差が大きくなり、洗浄にバラツキが生じるからである。
【００２９】
前記目的を達成するために、本発明に係る仮設機材洗浄装置は、パイプ状又は板状の建設足場用の仮設機材を加圧水で洗浄する仮設機材洗浄装置において、前記仮設機材を搬入・搬出する搬入・搬出ステージと前記仮設機材を洗浄する洗浄ステージとの間に一対の搬送ラインが平行に配設され、前記仮設機材を前記搬入・搬出ステージと前記洗浄ステージとの間でシャトル搬送する搬送手段と、前記一対の搬送ラインにそれぞれ設けられ、前記搬送手段に前記仮設機材を縦向状態で着脱自在に保持する保持治具と、前記洗浄ステージの前記一対の搬送ラインの両側に対向配置され、前記縦向状態の仮設機材の面に沿って加圧水を前記仮設機材に吹き付けて洗浄する請求項１〜６の何れか１項に記載の加圧水洗浄ガンと、を備えたことを特徴とする。
【００３０】
本発明の仮設機材洗浄装置によれば、一対の搬送ラインのうち一方の搬送ラインの搬入・搬出ステージにおいて保持治具に保持させた仮設機材Ａを洗浄ステージに搬送し、対向配置された一対の加圧水噴出ガンで仮設機材Ａの両面（表面と裏面）を同時に洗浄する。一方、仮設機材Ａを洗浄している間、次に洗浄する仮設機材Ｂを搬入・搬出ステージにセットすることができる。これにより、効率的な洗浄を行うことができる。
【００３１】
しかも、対向配置された一対の加圧水噴出ガンとして、本発明の請求項１〜６の何れか１項に記載された加圧水噴出ガンを使用するので、仮設機材の洗浄部分において洗浄のバラツキを小さくすることができる。
【００３２】
本発明の仮設機材洗浄装置は、前記加圧水噴出ガンの装置本体を旋回自在に支持する支持部は、多関節アーム型又は直交座標系型の一対の洗浄用ロボットであることが好ましい。
【００３３】
このように、装置本体を多関節アーム型又は直交座標系型の一対の洗浄用ロボットに旋回自在に支持することにより、複数本の棒状ノズルヘッドを仮設機材の幅方向に対して傾斜できるだけでなく、加圧水噴出ガンを色々な姿勢に可変できるので、更にきめ細かな洗浄が可能となる。
【００３４】
本発明の仮設機材洗浄装置は、前記仮設機材が通過する入口を有して前記洗浄ステージを囲む洗浄室と、前記一対の洗浄用ロボットの前記加圧水噴出ガンから噴出した加圧水で前記洗浄用ロボット同士が相打ち状態になるのを防止する相打ち防止手段と、前記搬送手段及び前記洗浄用ロボットを少なくとも制御する制御手段と、を備え、前記制御手段は、前記一対の搬送ラインにそれぞれ設けられた保持治具のうち、一方の保持治具が前記洗浄ステージにあるときには他方の保持治具が前記搬入・搬出ステージにあるように前記搬送手段を制御するとともに、前記洗浄ステージに搬送された仮設機材の表面と裏面とを同時に洗浄するように前記一対の洗浄用ロボットを制御することが好ましい。
【００３５】
ここで、「洗浄用ロボット同士が相打ち状態になるのを防止する」とは、一方の洗浄用ロボットの加圧水噴出ガンからの加圧水が他方の洗浄用ロボットに当たらないようにすることのみならず、当たった場合でも洗浄用ロボットが破損しないようにプロテクタで保護する場合も含む。
【００３６】
相打ち防止手段を設けることにより、互いの加圧水噴出ガンから噴出された加圧水が仮設機材の開口部を通過して互いの洗浄用ロボットに当たる、いわゆる相打ちを防止することができる。したがって、一対の洗浄用ロボットを対向配置させても洗浄用ロボットのアームや加圧水を供給するホース等が破損することもない。
【００３７】
また、相打ち防止手段を設けることで、一対の洗浄用ロボットを対向配置できるので、洗浄ステージを囲む洗浄室をコンパクト化することができる。
【００３８】
これにより、本発明の仮設機材洗浄装置は、コンパクトな装置構成にも関わらず洗浄効率を顕著に向上させることができる。
【発明の効果】
【００３９】
本発明の加圧水噴出ガンによれば、回転するノズルヘッドを小型軽量化でき且つ高剛性を確保する必要がないので、低コスト化が可能であるとともに、仮設機材の洗浄部分における洗浄のバラツキを小さくできる。
【００４０】
また本発明の仮設機材洗浄装置によれば、本発明の加圧水噴出ガンを設けたので、上記と同様の効果を得ることができるとともに、コンパクトな装置構成にも関わらず洗浄効率を顕著に向上させることができる。
【図面の簡単な説明】
【００４１】
【図１】仮設機材の説明図
【図２】本発明の仮設機材洗浄装置の全体構成のうち洗浄室を一部切り欠いて内部が見えるようにした斜視図
【図３】本発明の仮設機材洗浄装置を上から見た模式図
【図４】本発明の加圧水噴出ガンの全体構成図
【図５】加圧水噴出ガンのハウジングを洗浄用ロボットに対して旋回させる旋回機構と旋回を固定する固定手段の説明図
【図６】旋回機構による作用を説明する説明図
【図７】１本の棒状ノズルヘッドと２本の棒状ノズルヘッドとの対比図
【図８】２本のノズルヘッドの一部を重なるようにした加圧水噴出ガンの変形例の図
【図９】仮設機材洗浄装置で仮設機材を連続的に洗浄する説明図
【発明を実施するための形態】
【００４２】
以下添付図面に従って、本発明に係る加圧水噴出ガン及びそれを用いた仮設機材洗浄装置の好ましい実施の形態について詳述する。
【００４３】
＜仮設機材＞
【００４４】
先ず、図１により、本発明の加圧水噴出ガンで洗浄する仮設機材について説明する。
【００４５】
図１は、建設現場等で建設作業者の足場として用いられている枠組足場１００を示した斜視図である。なお、図１は枠組足場１００の２層目の組み立てについて示している。
【００４６】
建設現場での枠組足場１００の組み立て手順は、１層目（枠組足場１階部分）として先ずベースジャッキ１０８を所定の位置に配置し、次にパイプ材で形成された建枠１０２の縦架材１０２ａの下端部をベースジャッキ１０８に差し込み、建枠１０２が接地面に対して垂直になるように設置する。
【００４７】
さらに、交差筋交い（ブレース）１０６を隣り合う建枠１０２同士を繋ぐように取り付け、複数設置された建枠１０２それぞれが倒れないよう補強、最後に板状の仮設足場（以下、「布板１０４」と言う）１０４を建枠１０２上部の横架材１０２ｂに対し、布板１０４の四隅に設置されたつかみ金具１０４ａを引っかけて係止することで枠組足場１ユニット分の組み立てが完了する。この工程を枠組足場１００の１層目すべてについて行う。
【００４８】
次に枠組足場１００の２層目の組み立ては、枠組足場１００の１層目の建枠１０２の縦架材１０２ａの上端部に対し２層目の建枠１０２の縦架材１０２ａの下端部を差し込むことにより行われる。以降は枠組足場１００の１層目の組み立てと同様に交差筋交い１０６の取り付け、布板１０４の取り付けにより行われる。
【００４９】
以降、枠組足場３層目、４層目と建築物の規模に合わせて各階層が構築される。なお、図示していないが、枠組足場の他の構成品としては、階段、手摺柱、手摺など様々なものがある。
【００５０】
このように、仮設機材１４は、主として、枠組足場１００は地面に対して垂直に複数並列設置されたパイプ状の建枠１０２と、隣り合う建枠１０２同士が倒れないように接続された交差筋交い（ブレース）１０６と、建枠上部に足場として水平に設置される平板状の布板１０４とから構成される。
【００５１】
これらの仮設機材１４は、建設作業の性質から塗料やコンクリート等の付着物により汚れるため、使用済みの仮設機材１４を仮設機材洗浄装置で効率的に洗浄する必要がある。
【００５２】
特に、布板１０４は、図１から分かるように、建設作業者の作業足場となるため、塗料やコンクリート等の付着物で汚染され易く、洗浄部分における洗浄のバラツキがないように洗浄する必要がある。
【００５３】
布板１０４の寸法は、幅が２４０ｍｍ，５００ｍｍのものが一般的であり、特殊なものでも７００ｍｍが最大幅である。また、長さは１ｍ、２ｍ、３ｍ、４ｍの４種類が一般的である。また、布板１０４の材質としては、鉄製とアルミニウム製が一般的であるが、軽量化の観点から最近はアルミニウム製のものが多く使用されている。
【００５４】
＜仮設機材洗浄装置の全体構成＞
【００５５】
図２は仮設機材洗浄装置１０の全体構成を示す図であり、洗浄室１２を一部切り欠いて内部が見えるようにした斜視図である。図３は、仮設機材洗浄装置１０を上から見た模式図である。
【００５６】
図２及び図３に示すように、本発明の実施の形態の仮設機材洗浄装置１０は、主として、洗浄対象物である仮設機材１４を、搬入・搬出ステージ１６と洗浄ステージ１８との間でシャトル搬送する搬送手段２０と、搬送手段２０に仮設機材１４を縦向状態で着脱自在に保持する保持治具２２と、洗浄ステージ１８内に対向配置されるとともに加圧水噴出ガン２４を支持した一対の洗浄用ロボット２６，２６と、洗浄ステージ１８を囲む洗浄室１２と、洗浄用ロボット２６，２６同士が相打ち状態になるのを防止する相打ち防止手段２８（図３参照）と、搬入・搬出ステージ１６に設けられたハンドリング用ロボット３０と、搬送手段２０、洗浄用及びハンドリング用ロボット２６，３０を少なくとも制御する制御手段３２（図３参照）と、で構成される。
【００５７】
図２及び図３においては、仮設機材１４の搬入と搬出とが同じ場所である搬入・搬出ステージ１６で行われるシャトルタイプの構成を示し、以下においてもシャトルタイプを例にとって説明するが、仮設機材１４を搬入する搬入ステージと、仮設機材１４を搬出する搬出ステージとがそれぞれ別の場所に配置された一方通行タイプであっても良い（不図示）。
【００５８】
この一方通行タイプにおいては、搬入ステージと搬出ステージとに挟まれた位置に洗浄ステージ１８が配置され、それぞれが搬送手段２０で接続されている。ここで搬送ステージと搬出ステージとに挟まれた位置に洗浄ステージ１８が配置されるとは、必ずしも幾何的に挟まれた位置のみを指すのではなく、搬送手段２０の経路において搬入ステージと搬出ステージとの間に配置されること全体を含むものとする。
【００５９】
仮設機材洗浄装置１０で洗浄するパイプ状及び平板状の仮設機材１４は、上述のように軽量化の目的でアルミニウム製のものが一般的である。
【００６０】
なお、本実施の形態では、全自動化が可能なハンドリング用ロボット３０を設けた例で説明するが、ハンドリングを人の力で行う半自動方式であっても良い。
【００６１】
搬送手段２０は、搬入・搬出ステージ１６と洗浄ステージ１８との間に、第１搬送ライン３４と第２搬送ライン３６とからなる一対の搬送ラインが平行に配設される。搬送ラインの搬送方式としてはトロリーコンベア方式であることが好ましい。
【００６２】
第１搬送ライン３４及び第２搬送ライン３６の搬送速度は、５〜２０ｍ／分の範囲であることが好ましい。
【００６３】
加圧水噴出ガン２４から噴出され仮設機材１４を洗浄した後の汚れた洗浄水は、仮設機材洗浄装置１０の床に落下する。したがって、トロリーコンベア方式とすることで、汚れた洗浄水で搬送手段２０の駆動部が故障することを抑制できる。
【００６４】
トロリーコンベア方式は、仮設機材１４が搬送される搬送方向から見て、搬入・搬出ステージ１６の端部位置、搬入・搬出ステージ１６と洗浄ステージ１８との境界位置、洗浄ステージ１８の端部位置に、それぞれ門型支柱３８，３８…が立設される。そして、門型支柱３８の上梁３８Ａ下側に仮設機材１４の搬送方向に沿って２本の搬送用レール４０，４０が平行に固定される。この２本の搬送用レール４０，４０には、レール上を自動走行する複数（図２では２個）のトロリ４２，４２が移動自在に設けられる。また、この２個のトロリ４２，４２に仮設機材１４を保持する保持治具２２が吊設される。
【００６５】
なお、図２では、２本の搬送用レール４０，４０のうち手前側の搬送用レール４０のみにトロリ４２と保持治具２２を記載し、奥側の搬送用レール４０では図示するのを省略している。
【００６６】
また、門型支柱３８の下梁３８Ｂ上側に仮設機材１４の搬送方向に沿って２本のガイド用レール４４，４４が平行に固定される。このガイド用レール４４，４４に保持治具２２の下端部がスライド自在に係合する。これにより、保持治具２２の上端部が搬送用レール４０に２個のトロリ４２，４２を介して支持され、保持治具２２の下端部がガイド用レール４４に支持される。したがって、保持治具２２に保持された仮設機材１４は、洗浄ステージ１８において洗浄用ロボット２６の加圧水噴出ガン２４から加圧水が吹き付けられても仮設機材１４は揺れることなくしっかりと縦向状態を維持する。
【００６７】
また、搬入・搬出ステージ１６の近傍には、洗浄前の仮設機材１４をハンドリング用ロボット３０に対して位置決めする位置決めコンベア４６と、洗浄後の仮設機材１４を段積みする段積用リフト４８と、段積みされた洗浄後の仮設機材１４を排出する排出用コンベア５０（図３参照）とが配設される。ハンドリング用ロボット３０としては、多関節アーム型又は直交座標系型の産業用ロボットを好適に採用することができる。
【００６８】
保持治具２２は、上下に対向する２本の棒状部材と、左右に対向する２本の棒状部材により額縁形状に形成される。また、保持治具２２には、仮設機材１４を着脱自在に保持するための保持手段（図示せず）が設けられる。保持手段としては、特に限定されないが、仮設機材１４をチャック（把持）するチャック機構や、パイプ状の仮設機材１４のパイプ孔に挿入する突起を複数形成する突起挿入機構等を好適に採用することができる。
【００６９】
一対の洗浄用ロボット２６，２６は、洗浄ステージ１８の一対の搬送ライン３４，３６の両側（２本の搬送用レール４０，４０及びガイド用レール４４，４４の外側）に対向配置される。洗浄用ロボット２６としては、多関節アーム型又は直交座標系型の産業用ロボットを好適に採用することができる。
【００７０】
洗浄用ロボット２６は、アーム２６Ａの先端部に加圧水噴出ガン２４を支持し、加圧水噴出ガン２４には、加圧水ポンプ５１（例えば超高圧プランジャポンプ）により給水タンク５２から耐圧ホース５４を介して加圧水が供給される（図３参照）。そして、一対の洗浄用ロボット２６，２６は、制御手段３２の指示により、縦向状態の仮設機材１４の面に沿って加圧水噴出ガン２４を移動させながら仮設機材１４の面に加圧水を吹き付けて仮設機材１４の両面を同時に洗浄する。
【００７１】
洗浄室１２は、搬送手段２０によって搬送される仮設機材１４が通過する入口１２Ａ（図３参照）を有して洗浄ステージ１８を囲む箱型形状に形成され、入口１２Ａ以外の部分は密閉される。また、図３に示すように、洗浄室１２の近傍には、仮設機材１４を洗浄した後の汚れた洗浄水を仮設機材洗浄装置１０の装置外に排出するための排出管７４、排出ポンプ７６及び貯留タンク７８が設けられる。これにより、仮設機材１４を洗浄し、洗浄室１２の床面に落下した汚れた洗浄水は貯留タンク７８に貯留される。
【００７２】
相打ち防止手段２８は、対向配置された一対の加圧水噴出ガン２４，２４が仮設機材１４の面に沿って移動する軌跡が重ならないように設定された移動軌跡プログラムを制御手段３２に組み込むことにより構成される。
【００７３】
ここで、「移動する軌跡が重ならない」とは、一対の加圧水噴出ガン２４，２４の移動軌跡が全く異なる場合の他、移動軌跡が同じで時間的ズレを有する場合も含む。同じ移動軌跡の時間的ズレとは、一対の加圧水噴出ガン２４，２４のうちの一方の加圧水噴出ガン２４を他方の加圧水噴出ガン２４よりも時間的に遅らせて同じ移動軌跡をたどるようにすることを言う。いずれにしても、同一時点において同じ場所を両側から洗浄することが無いようにすることにより、一対の加圧水噴出ガン２４，２４同士の相打ちを防ぐことが重要である。相打ちすることにより、加圧水の力で破損してしまうからである。
【００７４】
移動軌跡プログラムは、仮設機材１４の形状（例えばパイプ状、平板状等）に合わせて、対向する洗浄用ロボット２６，２６同士が相打ちしないための動きを予めコンピュータでシミュレートすることにより得ることができる。
【００７５】
上記した相打ち防止のためのシミュレーション方法としては、仮設機材１４の形状（例えばパイプ形状、平板形状等）及びサイズの数値データを基に、洗浄用ロボット２６が仮設機材１４を洗浄するのに最も効果的な加圧水噴出ガン２４の移動軌跡をコンピュータで描く。
【００７６】
次に、描いた移動軌跡のうち、対向する洗浄用ロボット２６，２６が相打ちする移動軌跡位置を特定し、洗浄速度及び洗浄効果を低下しないで移動軌跡が変更可能なように洗浄用ロボット２６，２６の動作シーケンスを変更する。
【００７７】
そして、洗浄用ロボット２６の動作シーケンスを変更することで洗浄速度及び洗浄効果が低下せざるをえない場合には、洗浄用ロボット２６の相打ち部分箇所に耐圧性プロテクタ（図示せず）を設けて保護する。
【００７８】
また、特に図示しないが、相打ち防止手段２８の別の態様としては、対向配置された一対の加圧水噴出ガン２４，２４の噴出角度を調整する噴出角度調整手段（図示せず）を設けることによって構成しても良い。
【００７９】
相打ち防止手段２８の更に別の態様としては、一対の洗浄用ロボット２６，２６の加圧水噴出ガン２４を除いて覆う耐圧性プロテクタ（図示せず）で構成しても良い。耐圧性プロテクタとしては、例えば蛇腹状の耐圧性筒部材のように、洗浄用ロボット２６のアーム２６Ａの動きを阻害しないことが必要である。
【００８０】
相打ち防止手段２８としては、上記の移動軌跡プログラム、噴出角度調整手段、耐圧性プロテクタの少なくとも一つを設けることが必要であり、全てを設けることが一層好ましい。移動軌跡プログラムと耐圧性プロテクタとを組み合わせることにより、上記したように移動軌跡プログラムだけではどうしても相打ちする洗浄用ロボット２６の箇所にのみ耐圧性プロテクタを取り付けることができる。
【００８１】
ここで、加圧水噴出ガン２４のノズルヘッド５６（図４参照）には、耐圧性プロテクタを装着することができないので、ノズルヘッド５６部分同士は、相打ちにならないような動作シーケンスを組み込むことが極めて望ましい。
【００８２】
ハンドリング用ロボット３０は、アーム３０Ａの先端部に仮設機材１４を着脱自在に把持する四角形状の把持盤８０（図２参照）が設けられる。そして、位置決めコンベア４６に載置された洗浄前の仮設機材１４を把持盤８０で把持して搬送手段２０の保持治具２２に取り付けるとともに、洗浄後の仮設機材１４を保持治具２２から取り外して段積用リフト４８に段積みする。
【００８３】
把持盤８０の把持機構としては、仮設機材１４を着脱できる方式であれば特に限定はなく、チャック方式、吸着方式等を好適に採用できる。
【００８４】
制御手段３２は、搬送手段２０、洗浄用ロボット２６，２６、及びハンドリング用ロボット３０を少なくとも制御する。なお、半自動方式の場合には、制御手段３２は、搬送手段２０、及び洗浄用ロボット２６，２６を少なくとも制御する。
【００８５】
図３に示すように、制御手段３２は、搬送手段２０を制御するライン用制御盤３２Ａ、ハンドリング用ロボット３０を制御するＨＤ制御盤３２Ｂと、一対の洗浄用ロボット２６，２６のうちの一方の洗浄用ロボット２６を制御する第１ＲＣ制御盤３２Ｃと、他方の洗浄用ロボット２６を制御する第２ＲＣ制御盤３２Ｄとで構成される。
【００８６】
なお、本実施の形態では、制御手段３２を４個の制御盤に分けたが１個の制御盤でも５個以上の制御盤でもよい。
【００８７】
ＨＤ制御盤３２Ｂは、一対の搬送ライン３４，３６にそれぞれ設けられた保持治具２２のうち、一方の保持治具２２が洗浄ステージ１８にあるときには他方の保持治具２２が搬入・搬出ステージ１６にあるように搬送手段２０を制御する。また、上記した位置決めコンベア４６と、段積用リフト４８と、排出用コンベア５０の制御をＨＤ制御盤３２Ｂで一緒に制御しても良く、別の制御盤を設けても良い。
【００８８】
第１ＲＣ制御盤３２Ｃと第２ＲＣ制御盤３２Ｄには、洗浄ステージ１８に搬送された仮設機材１４の表面と裏面との両面を同時に洗浄するように洗浄プログラムが組み込まれているとともに、仮設機材１４の両面を同時洗浄する際に相打ちにならないための移動軌跡プログラムが組み込まれている。
【００８９】
また、加圧水噴出ガン２４に加圧水を供給する加圧水ポンプ５１、加圧水噴出ガン２４の回転数制御も、第１ＲＣ制御盤３２Ｃ及び第２ＲＣ制御盤３２Ｄで一緒に制御しても良く別の制御盤を設けても良い。この場合、加圧水ポンプ５１を２台配設し、加圧水ポンプ５１の給水量制御及び加圧水噴出ガン２４の回転数制御を第１ＲＣ制御盤３２Ｃと第２ＲＣ制御盤３２Ｄとで独立して制御できるようにすることが一層好ましい。
【００９０】
これにより例えば、平板状の仮設機材１４である布板１０４は、足場が組まれた状態の上面は汚れるが、下面の汚れは少ない。したがって、仮設機材洗浄装置１０で足場板を縦向状態で洗浄する場合、足場板の表面は洗浄力を大きくする必要があるが、裏面は小さな洗浄力で洗浄できる。したがって、加圧水ポンプ５１及び加圧水噴出ガン２４を第１ＲＣ制御盤３２Ｃと第２ＲＣ制御盤３２Ｄとで独立して制御できるようにすることできめ細かな洗浄を行うことができる。
【００９１】
＜加圧水噴出ガン＞
【００９２】
次に、洗浄用ロボット２６に支持される本発明の実施の形態の加圧水噴出ガン２４について説明する。
【００９３】
図４は加圧水噴出ガン２４の全体構成図である。
【００９４】
加圧水噴出ガン２４は、洗浄用ロボット２６（支持部）に旋回機構５５を介して支持され、旋回軸芯Ｘを中心に所定の旋回角度範囲で旋回自在なハウジング５７（装置本体）と、ハウジング５７に旋回軸芯Ｘと平行な複数本の回転軸芯Ｙを中心に回転自在に並列支持され、内部に加圧水の流路が形成された複数本の棒状ノズルヘッド５６と、棒状ノズルヘッド５６の長手方向に複数個形成され、流路に連通する噴出ノズル５８と、複数本の棒状ノズルヘッド５６を回転駆動するとともに、複数本の棒状ノズルヘッド５６の流路に加圧水を供給する回転・給水機構５９と、旋回角度範囲内でハウジング５７の旋回を固定する固定手段６１と、を備え、複数本の棒状ノズルヘッド５６を一直線状で配列したときの合計長さは仮設機材１４（図４は布板１０４を例示）の種類のうち最大幅の仮設機材１４の幅Ｗと同等であるように構成される。
【００９５】
なお、本実施の形態では、洗浄用ロボット２６と旋回機構５５との間にブラケット５３を介在させたが、省略しても良い。また、複数本の棒状ノズルヘッド５６の一例として長尺板状に形成された２本の棒状ノズルヘッド５６の例で説明するが、２本以上であれば良い。
【００９６】
棒状ノズルヘッド５６の内部には、長尺方向中心部の流路入口６３から棒状ノズルヘッド５６の長手方向（流路入口６３から図４の左右方向）に加圧水の流路（図示せず）が形成される。また、棒状ノズルヘッド５６の下面には、棒状ノズルヘッド５６の長手方向（流路入口６３から図４の左右方向）に複数の噴出ノズル５８、５８…が設けられ、１００〜２００ＭＰａの高い圧力で加圧水が噴出する。
【００９７】
仮設機材１４に付着した塗料やコンクリート等の付着物を効果的に洗浄するには、１００ＭＰａ以上の加圧水が必要である。しかし、２００ＭＰａを超える加圧水は、軽量化のためのアルミニウム製の仮設機材１４の場合に、破損させる恐れがある。また、加圧水噴出ガン２４から噴出される加圧水の水量は１５〜２５リットル／分の範囲、より好ましく２０リットル／分である。
【００９８】
図４に示した本実施の形態では、流路入口６３から左右にそれぞれ３個の噴出ノズル５８を設けた場合であるが、この個数には限定されない。また、棒状ノズルヘッド５６の両端位置に設けた噴出ノズル５８は内側に傾斜して加圧水を噴出できるように傾斜して形成された例で図示しているが、この例に限定されるものではない。
【００９９】
次に、回転・給水機構５９について説明する。
【０１００】
図４に示すように、ハウジング５７の上面中心部に形成された貫通孔（図示せず）に軸受６５が固定され、軸受６５の上側に円筒状のモータ支持部材６７が固定される。そして、モータ支持部材６７にモータ６６（回転駆動手段）が搭載される。モータ回転軸６８はモータ支持部材６７の中心を通り、軸受６５に回転自在に支持されるとともに、モータ回転軸６８の先端部がハウジング５７内まで延設される。モータ６６としては、電動モータを採用することができるが、軽量な棒状ノズルヘッド５６を採用することにより、空気圧モータを採用することができる。棒状ノズルヘッド５６は、構造が簡単なため棒状ではない（例えば円盤状）従来のノズルヘッドよりも軽量である。
【０１０１】
また、空気圧モータは電動モータと比較して出力／重量比が大きいため電動モータよりも軽量である。よって、空気圧モータと棒状ノズルヘッド５６を採用することにより、加圧水噴出ガン２４の重量を軽量化することできる。これにより、加圧水噴出ガン２４を支持させる洗浄用ロボット２６の負荷が小さくなるので、高価な高出力の産業用ロボットを使用する必要がなくなるとともに、加圧水噴出ガン２４の高速かつ高精度な移動を可能とすることができる。
【０１０２】
また、矩形箱型状のハウジング５７の長手方向両端部には、ハウジング５７の上面と下面とを貫通する一対の貫通孔（図示せず）が形成され、この一対の貫通孔に、加圧水を棒状ノズルヘッド５６に送り込む一対の中空回転軸６９がそれぞれ貫通配置される。そして、それぞれの中空回転軸６９のうち、ハウジング５７よりも上方部分が上側流体軸受７０に回転自在に支持されるとともに、ハウジング５７よりも下方部分が下側流体軸受７２に回転自在に支持される。本実施の形態では、中空回転軸６９の高速回転に適した流体軸受の例で説明するが、流体軸受に限定するものではない。
【０１０３】
それぞれの中空回転軸６９の下端は、それぞれの棒状ノズルヘッド５６の上面中心部に固定されたフランジ７３のフランジ孔（図示せず）を介して上述の流路入口６３に連結される。
【０１０４】
一方、それぞれの中空回転軸６９の上端は、スイベルジョイント７５を介して耐圧ホース５４に連結され、上述した加圧水ポンプ５１により給水タンク５２から耐圧ホース５４を介して加圧水が供給される。このスイベルジョイント７５により、後述するハウジング５７の旋回時に耐圧ホースの捻じれ、絡み等を防止できる。
【０１０５】
また、それぞれの中空回転軸６９は、ハウジング５７内に設けられた図示しない動力伝達機構（ギアによる動力伝達機構、プーリと無端状ベルトとによる動力伝達機構等）を介してモータ回転軸６８と連結される。さらに、それぞれの中空回転軸６９は、ハウジング５７と上側流体軸受７０との間で上側中空回転軸６９Ａと下側中空回転軸６９Ｂとに分割され、上側中空回転軸６９Ａと下側中空回転軸６９Ｂとはロータリジョイント７７により連結される。これにより、モータ６６が回転駆動すると、モータ回転軸６８、動力伝達機構を介して下側中空回転軸６９Ｂが回転して棒状ノズルヘッド５６が５００〜２０００ｒｐｍの回転速度で高速回転する。一方、耐圧ホース５４に連結された上側中空回転軸６９Ａは、モータ６６からの回転がロータリジョイント７７により縁切りされるので、回転しない。
【０１０６】
なお、本実施の形態では、２本の棒状ノズルヘッド５６を１つのモータ６６で回転させるようにしたが、２本の棒状ノズルヘッド５６のそれぞれにモータ６６を設けるようにしても良い。
【０１０７】
次に、ハウジング５７の旋回機構５５と旋回角度範囲内でハウジング５７の旋回を固定する固定手段６１とについて説明する。
【０１０８】
図４及び図５に示すように、モータ６６が旋回機構５５により保持され、旋回機構５５がブラケット５３を介して洗浄用ロボット２６（支持部）に支持される。なお、本実施の形態では、支持部として、上述した洗浄用ロボット２６の例で説明しているが、支持部は洗浄用ロボット２６に限定されない。
【０１０９】
図５に示すように、旋回機構５５は、モータ６６を保持する内筒５５Ａと、ブラケット５３に支持された外筒５５Ｂとが旋回摺動可能に嵌合される。また、外筒５５Ｂに固定手段６１としてのボルトが螺合されるとともに、内筒５５Ａの外周面にボルト先端部が挿入される複数の挿入孔５５Ｃが形成される。これにより、外筒５５Ｂに対して内筒５５Ａを旋回させることによって、モータ６６、モータ支持部材６７を介してハウジング５７を旋回させることができ、固定手段６１を挿入孔５５Ｃに挿入することでハウジング５７の旋回を固定することができる。このハウジング５７の旋回と一緒に２本の棒状ノズルヘッド５６，５６も旋回するので、仮設機材１４の幅方向に対する２本の棒状ノズルヘッド５６，５６の傾きを変えることができる。
【０１１０】
これにより、２本の棒状ノズルヘッド５６，５６を一直線状で配列したときの合計長さＬ１+Ｌ２を仮設機材１４の種類のうち最大幅の仮設機材１４の幅Ｗと同等であるように設定すれば、幅の狭い仮設機材１４の洗浄にも対応することができる。
【０１１１】
なお、本実施の形態では、モータ６６に旋回機構５５を取り付けるようにしたが、モータ６６やモータ支持部材６７と、旋回機構５５とを分離独立させるようにしても良い。
【０１１２】
図６（Ａ）は、最大幅の仮設機材１４を洗浄するときの２本の棒状ノズルヘッド５６，５６の配列方向を示す図であり、２本の棒状ノズルヘッド５６，５６を仮設機材１４の長手方向Ｍに対して直交するように配列する。
【０１１３】
図６（Ｂ）は、最小幅の仮設機材１４を洗浄するときの２本の棒状ノズルヘッド５６，５６の配列方向を示す図であり、２本の棒状ノズルヘッド５６，５６を仮設機材１４の長手方向Ｍに対して平行になるように配列する。
【０１１４】
ここで、図６の符号Ｐは旋回中心を示し、符号Ｑは棒状ノズルヘッド５６の回転中心を示す。また、点線は２本の棒状ノズルヘッド５６，５６を回転させたときの外周軌道を示したものである。
【０１１５】
このように、洗浄用ロボット２６に対してハウジング５７を旋回させることにより、最大幅の仮設機材１４から最小幅の仮設機材１４まで、棒状ノズルヘッド５６から噴出される加圧水を無駄なく効率的に洗浄することができる。
【０１１６】
この場合、ハウジング５７を９０度の旋回角度範囲θで旋回可能にすることで、図６（Ａ）の最大幅の仮設機材１４の洗浄から図６（Ｂ）の最小幅の仮設機材１４の洗浄までに対応するように２本の棒状ノズルヘッド５６，５６を配置することができる。
【０１１７】
また、図５に示したように、９０度の旋回角度範囲θを１８°の旋回角度間隔で挿入孔５５Ｃを形成して旋回固定するようにしたので、最大幅から最小幅の仮設機材１４の中間的な幅の仮設機材１４の洗浄にも効率的に対応できる。
【０１１８】
なお、旋回角度間隔は１８°に限定するものではなく、仮設機材１４の幅の種類に応じて適宜設定することができる。また、旋回機構５５は、上述の内筒５５Ａと外筒５５Ｂとに限定するものではなく、同様の機能であれば他の旋回機構でも良い。また、固定手段６１は、上述のボルトに限定するものではなく、同様の機能であれば他の固定手段でも良い。
【０１１９】
＜加圧水噴出ガンの作用＞
【０１２０】
上記の如く構成された加圧水噴出ガン２４は、１本の長尺な棒状ノズルヘッド５６を設けて回転するのではなく、２本の棒状ノズルヘッド５６，５６を並列配置して回転し、且つ２本の棒状ノズルヘッド５６，５６を直線的に配列したときの合計長さＬ１+Ｌ２が仮設機材１４の種類のうち最大幅の仮設機材１４の幅と同等であるように構成されている。
【０１２１】
図７（Ａ）は、仮設機材１４の幅Ｗと同等な１本の長尺な棒状ノズルヘッド５６で仮設機材１４を洗浄したときの棒状ノズルヘッド５６から噴出される加圧水の洗浄軌跡である。
【０１２２】
図７（Ｂ）は、２本の棒状ノズルヘッド５６，５６で仮設機材１４を洗浄したときの２本の棒状ノズルヘッド５６，５６から噴出される加圧水の洗浄軌跡である（本発明の実施の形態の加圧水噴出ガン２４）。
【０１２３】
図７（Ａ）及び図７（Ｂ）ともに、棒状ノズルヘッド５６の噴出ノズル５８の数（８個）、棒状ノズルヘッド５６の回転速度、及び仮設機材１４の幅Ｗは同じである。また、加圧水噴出ガン２４の位置は固定され、仮設機材１４が矢印方向Ｎに移動することで洗浄される。
【０１２４】
図７（Ｂ）のように、２本の棒状ノズルヘッド５６，５６を設けることにより、棒状ノズルヘッド５６の回転中心Ｑ近くの噴出ノズル５８と両端部近くの噴出ノズル５８との回転周速差は、図７（Ａ）の１本の長尺な棒状ノズルヘッド５６の回転中心Ｑ近くの噴出ノズル５８と両端部近くの噴出ノズル５８との回転周速差に比べて小さくなる。これにより、本発明の実施の形態の加圧水噴出ガン２４は、仮設機材１４の幅方向において、中央部分の洗浄力と両端部の洗浄力とのバラツキを小さくすることができる。
【０１２５】
特に、仮設機材１４を洗浄する加圧水噴出ガン２４のように、棒状ノズルヘッド５６は５００〜２０００ｒｐｍの回転速度で高速回転するがゆえに、棒状ノズルヘッド５６が長いと中央部近傍の噴出ノズル５８と両端部近傍の噴出ノズル５８との回転周速差が大きくなり、洗浄にバラツキが生じ易くなる。
＜加圧水噴出ガンの変形例＞
【０１２６】
図８は、加圧水噴出ガン２４の変形例であり、２本の棒状ノズルヘッド５６，５６の回転軸芯同士の距離Ｄを２本の棒状ノズルヘッド５６，５６の合計長さＬ１+Ｌ２の１／２［即ち（L1+L2）/2］よりも短くすることで、２本の棒状ノズルヘッド５６，５６が部分的に重なるように構成し、２本の棒状ノズルヘッド５６，５６を１つのモータ６６で回転位相をずらして回転させるようにしたものである。
【０１２７】
これにより、２本の棒状ノズルヘッド５６，５６同士の回転が衝突しないように２本の棒状ノズルヘッド５６，５６が部分的に重なるので、洗浄力のバラツキを一層低減できる。即ち、２本の棒状ノズルヘッド５６，５６の重なり部分Ｈでは、一方の棒状ノズルヘッド５６の端部側の噴出ノズル５８（回転周速大きい）と、他方の棒状ノズルヘッド５６の中央部側の噴出ノズル５８（回転周速小さい）とが回転周速差を相殺しながら洗浄するので、洗浄力のバラツキを一層小さくできる。
ここで、上記においては、２本の棒状ノズルヘッド５６，５６が２つの場合で説明したが、２つよりおおく並列につながれている構成を採用することもできる。この場合も同様に、隣接する２本の棒状ノズルヘッド５６，５６の回転軸芯同士の距離Ｄを当該回転軸芯を中心に回転する２本の棒状ノズルヘッド５６，５６の合計長さＬ１+Ｌ２の１／２［即ち（L1+L2）/2］よりも短くすることで、隣接する２本の棒状ノズルヘッド５６，５６が部分的に重なるように構成し、２本の棒状ノズルヘッド５６，５６を１つのモータ６６で回転位相をずらして回転させることができる。これにより、上述した棒状ノズルヘッドが２つの場合と同じ効果を有する。
【０１２８】
本実施の形態のように２本の棒状ノズルヘッド５６，５６の場合には、仮設機材１４の中央部分において、回転周速差に起因する洗浄力のバラツキを一層小さくできる。
【０１２９】
したがって、棒状ノズルヘッド５６の本数を２本よりも多くすることで、棒状ノズルヘッド５６同士の重なり部分Ｈの数を増やすことができるのでより好ましい。また、２本の棒状ノズルヘッド５６，５６が重なる長さＨを、互いの棒状ノズルヘッド５６，５６の回転を阻害しない範囲で、できるだけ大きくすることが洗浄力のバラツキを小さくする点でより好ましい。
【０１３０】
＜仮設機材洗浄装置の動作＞
【０１３１】
次に図２、図３及び図９により、上記の如く構成された仮設機材洗浄装置１０を用いて仮設機材１４を洗浄するステップを説明する。なお、各ステップにおける各機器（洗浄用ロボット２６等）の制御は制御手段３２からの指示で行うが、各ステップの説明では制御手段３２を省略して説明する。
【０１３２】
図３に示すように、先ず作業者Ｙが洗浄前の仮設機材１４Ａ（図３には不図示）を位置決めコンベア４６に載せる。これにより、仮設機材１４Ａがハンドリング用ロボット３０の正しいハンドリング位置に位置決めされる（仮設機材１４Ａの位置決めステップ）。
【０１３３】
次に、ハンドリング用ロボット３０は、仮設機材１４Ａを把持盤８０（図２参照）に把持するとともに、把持した仮設機材１４Ａを位置決めコンベア４６から搬入・搬出ステージ１６に運搬し、第１搬送ライン３４の保持治具２２に仮設機材１４Ａを保持させる（仮設機材１４Ａの搬入ステップ）。
【０１３４】
次に、第１搬送ライン３４のトロリ４２（図２参照）が保持治具２２に保持された仮設機材１４Ａを搬入・搬出ステージ１６から洗浄ステージ１８に搬送する（仮設機材１４Ａの往路搬送ステップ）。
【０１３５】
次に、対向する一対の洗浄用ロボット２６，２６に具備された加圧水噴出ガン２４から加圧水を噴出させて仮設機材１４Ａの面に吹き付けることによって、仮設機材１４Ａの両面（表面及び裏面）を同時に洗浄する（仮設機材１４Ａの洗浄ステップ）。
【０１３６】
一方、仮設機材１４Ａを洗浄ステージ１８で洗浄中に、作業者Ｙは次に洗浄する仮設機材１４Ｂを位置決めコンベア４６に載せる（仮設機材１４Ｂの位置決めステップ）。
【０１３７】
そして、ハンドリング用ロボット３０は仮設機材１４Ｂを位置決めコンベア４６から搬入・搬出ステージ１６に運搬し、第２搬送ライン３６の保持治具２２に仮設機材１４Ｂを保持させる（仮設機材１４Ｂの搬入ステップ）。
【０１３８】
図９（Ａ）は、洗浄ステージ１８で仮設機材１４Ａを洗浄する洗浄ステップと、搬入・搬出ステージ１６に仮設機材１４Ｂを搬入する搬入ステップとを並行して実施している図である。
【０１３９】
次に、洗浄ステージ１８で洗浄の終了した仮設機材１４Ａは第１搬送ライン３４のトロリ４２により洗浄ステージ１８から搬入・搬出ステージ１６に搬送される（仮設機材１４Ａの復路搬送ステップ）。そして、ハンドリング用ロボット３０で第１搬送ライン３４から搬出されて段積用リフト４８に段積みされる（仮設機材１４Ａの搬出ステップ）。
【０１４０】
この仮設機材１４Ａの復路搬送ステップから搬出ステップに並行して、搬入・搬出ステージ１６の仮設機材１４Ｂが第２搬送ライン３６のトロリ４２によって搬入・搬出ステージ１６から洗浄ステージ１８に搬送される（仮設機材１４Ｂの往路搬送ステップ）。
【０１４１】
そして、仮設機材１４Ｂは、対向する一対の洗浄用ロボット２６，２６に具備された加圧水噴出ガン２４から加圧水を噴出させて仮設機材１４Ｂの面に吹き付けることによって、仮設機材１４Ｂの両面（表面及び裏面）を同時に洗浄する（仮設機材１４Ｂの洗浄ステップ）。
【０１４２】
図９（Ｂ）は、洗浄ステージ１８で仮設機材１４Ｂを洗浄する洗浄ステップと、搬入・搬出ステージ１６に仮設機材１４Ａを搬送する復路搬送ステップを並行して実施している図である。
【０１４３】
次に、洗浄ステージ１８で洗浄の終了した仮設機材１４Ｂは第２搬送ライン３６のトロリ４２により洗浄ステージ１８から搬入・搬出ステージ１６に搬送される（仮設機材１４Ｂの復路搬送ステップ）。そして、ハンドリング用ロボット３０で第２搬送ライン３６から搬出されて段積用リフト４８に段積みされる（仮設機材１４Ｂの搬出ステップ）。
【０１４４】
このように、仮設機材１４Ａと仮設機材１４Ｂとの上記動作を繰り返すことによって、仮設機材１４を次々に連続洗浄できるだけでなく、仮設機材１４の両面を同時に洗浄するので、表面と裏面とを順番に洗浄する従来の仮設機材洗浄装置に比べて一枚の仮設機材１４を洗浄する時間を半分に短縮することができる。
【０１４５】
また、本発明の実施の形態の加圧水噴出ガン２４で洗浄することにより、仮設機材１４の洗浄部分において洗浄力のバラツキを小さくできる。
【０１４６】
また、洗浄ステージ１８において、対向配置された一対の洗浄用ロボット２６，２６の加圧水噴出ガン２４からは１００〜２００ＭＰaの極めて高圧な加圧水を噴出する。したがって、互いの加圧水噴出ガン２４，２４から噴出された加圧水が仮設機材１４の開口部を通過して互いの洗浄用ロボット２６のアーム２６Ａや加圧水を供給する耐圧ホース５４等に当たる、いわゆる相打ちになると、アーム２６Ａや耐圧ホース５４が破損する恐れがある。
【０１４７】
そこで、本発明では相打ちの対策として、噴出した加圧水で洗浄用ロボット２６，２６同士が相打ち状態になるのを防止する相打ち防止手段２８を設けたので、アーム２６Ａや耐圧ホース５４が破損する恐れがない。
【０１４８】
更に、本発明では、仮設機材１４が通過する入口１２Ａを有して洗浄ステージ１８を囲む洗浄室１２を設けたので、加圧水が仮設機材洗浄装置１０の外側に噴出することがなく、仮設機材洗浄装置１０を操作する作業者Ｙの安全も確保できる。しかも、相打ち防止手段２８を設けることで、一対の洗浄用ロボット２６，２６を対向配置できるので、洗浄ステージ１８を囲む洗浄室１２をコンパクト化することができる。
【０１４９】
これにより、本発明の仮設機材洗浄装置１０は、コンパクトな装置構成にも関わらず洗浄効率を顕著に向上させることができる。実際に試験装置で７時間の試験操業を行った結果、パイプ状の仮設機材１４を５００枚程度洗浄することができた。
【０１５０】
また、本発明の実施の形態の加圧水噴出ガン２４が組み込まれているので、回転するノズルヘッドを小型軽量化でき且つ高剛性を確保する必要がないので、低コスト化が可能であるとともに、仮設機材１４の洗浄部分における洗浄のバラツキを小さくできる。
【符号の説明】
【０１５１】
１０…仮設機材洗浄装置、１２…洗浄室、１４…仮設機材、１６…搬入・搬出ステージ、１８…洗浄ステージ、２０…搬送手段、２２…保持治具、２４…加圧水噴出ガン、２６…洗浄用ロボット、２８…相打ち防止手段、３０…ハンドリング用ロボット、３２…制御手段、３４…第１搬送ライン、３６…第２搬送ライン、３８…門型支柱、４０…搬送用レール、４２…トロリ、４４…ガイド用レール、４６…位置決めコンベア、４８…段積用リフト、５０…排出用コンベア、５１…加圧水ポンプ、５２…給水タンク、５３…ブラケット、５４…耐圧ホース、５５…旋回機構、５６…棒状ノズルヘッド、５７…ハウジング（装置本体）、５８…噴出ノズル、５９…回転・給水機構、６１…固定手段（ボルト）、６３…流路入口、６５…軸受、６６…モータ（回転駆動手段）、６７…モータ支持部材、６８…モータ回転軸、６９…中空回転軸、７０…上側流体軸受、７２…下側流体軸受、７３…フランジ、７４…排出管、７５…スイベルジョイント、７６…排出ポンプ、７７…ロータリジョイント、７８…貯留タンク、８０…把持盤、１００…枠組足場、１０２…建枠、１０２ａ…縦架材、１０２ｂ…横架材、１０４…布板、１０４ａ…つかみ金具、１０６…交差筋交い、１０８…ベースジャッキ
【要約】
【課題】回転するノズルヘッドを小型軽量化でき且つ高剛性を確保する必要がないので、低コスト化が可能であるとともに、仮設機材の洗浄部分における洗浄のバラツキを小さくできる。
【解決手段】洗浄用ロボットに旋回機構を介して支持され、旋回軸芯Ｘを中心に旋回自在なハウジングと、ハウジングに旋回軸芯Ｘと平行な２本の回転軸芯Ｙを中心に回転自在に並列支持され、内部に加圧水の流路が形成された２本の棒状ノズルヘッドと、棒状ノズルヘッドの長手方向に形成され、流路に連通する噴出ノズルと、２本の棒状ノズルヘッドを回転駆動するとともに、２本の棒状ノズルヘッドの流路に加圧水を供給する回転・給水機構と、旋回角度範囲内でハウジングの旋回を固定する固定手段と、を備え、２本の棒状ノズルヘッドを一直線状で配列したときの合計長さは仮設機材の種類のうち最大幅の仮設機材の幅と同等である。
【選択図】図４【図１】
0005777017.tif 000002
【図２】
0005777017.tif 000003
【図３】
0005777017.tif 000004
【図９】
0005777017.tif 000005
【図４】
0005777017.tif 000006
【図５】
0005777017.tif 000007
【図６】
0005777017.tif 000008
【図７】
0005777017.tif 000009
【図８】
0005777017.tif 000010